(57)【要約】【課題】入力信号の特性を解析する際の作業効率を向上し得る表示制御装置を提供する。【解決手段】入力信号を示す入力信号データに対して所定の演算処理を実行して処理データを出力する演算部と、処理データに基づく入力信号の特性を示す特性図を表示部に表示させる制御部とを備えた表示装置であって、制御部は、複数種類の特性図Ｐｃ１，Ｐｃ２を重ね合わせた状態で表示部１５に表示させる。この場合、制御部が入力信号データに基づく入力信号の信号波形Ｐｗと各特性図Ｐｃ１，Ｐｃ２とを重ね合わせた状態で表示させる構成を採用することもできる。【選択図】図７
2007199020.tif 000002
【特許請求の範囲】
【請求項１】
入力信号を示す入力信号データに対して所定の演算処理を実行して処理データを出力する演算部と、前記処理データに基づく前記入力信号の特性を示す特性図を表示部に表示させる制御部とを備えた表示制御装置であって、
前記制御部は、複数種類の前記特性図を重ね合わせた状態で前記表示部に表示させる表示制御装置。
【請求項２】
前記制御部は、前記入力信号データに基づく前記入力信号の信号波形図と前記各特性図とを重ね合わせた状態で表示させる請求項１記載の表示制御装置。
【発明の詳細な説明】
【技術分野】
【０００１】
本発明は、入力信号の特性を示す特性図を表示部に表示可能に構成された表示制御装置に関するものである。
【背景技術】
【０００２】
この種の表示制御装置として、特開平７−４３４０３号公報において出願人が開示したＦＦＴ（高速フーリエ変換）アナライザが知られている。このＦＦＴアナライザは、入力信号（アナログ信号）をデジタルデータ（デジタル信号）に変換するＡ／Ｄ変換器、デジタルデータを記憶するＲＡＭ、プログラムが書き込まれたＲＯＭ、プログラムに従ってデジタルデータについてＦＦＴ演算を行うＣＰＵ、ＦＦＴ演算によって得られたデータに基づくスペクトラムを示すスペクトラム図（特性図）を表示するディスプレイ等を備えて構成されている。
【特許文献１】特開平７−４３４０３号公報（第２頁、第１−２図）
【発明の開示】
【発明が解決しようとする課題】
【０００３】
ところが、上記のＦＦＴアナライザには、改善すべき以下の課題がある。すなわち、このＦＦＴアナライザでは、ＦＦＴ演算によって得られたデータに基づくスペクトラムを示すスペクトラム図がディスプレイに表示される。この場合、スペクトラムには、演算方法が異なる複数種類のスペクトラム（例えば、パワースペクトラムやリニアスペクトラム）が存在する。また、上記のＦＦＴアナライザを含むこの種のＦＦＴアナライザでは、一般的に、ＦＦＴ演算処理に生じる特有の誤差を軽減するために行われる窓関数処理に用いられる窓関数を複数の中から選択可能に構成されている。このため、この種のＦＦＴアナライザでは、演算方法や窓関数が異なる複数種類のスペクトラムを示すスペクトラム図のうちの１つを表示切替操作に応じて切り替えて表示することが可能となっている。
【０００４】
この場合、入力信号の特性を多面的に解析するためには、上記の複数のスペクトラム図を同一画面内に表示させて比較できるのが好ましい。しかしながら、このＦＦＴアナライザでは、表示切替操作によって各スペクトラム図のうちの１つが表示されるため、例えば、複数のスペクトラム図を比較しつつ入力信号の特性を解析するときには、表示切替操作を頻繁に繰り返す必要がある結果、作業効率を向上させるのが困難であり、この点の改善が望まれている。
【０００５】
本発明は、かかる改善すべき課題に鑑みてなされたものであり、入力信号の特性を解析する際の作業効率を向上し得る表示制御装置を提供することを主目的とする。
【課題を解決するための手段】
【０００６】
上記目的を達成すべく請求項１記載の表示制御装置は、入力信号を示す入力信号データに対して所定の演算処理を実行して処理データを出力する演算部と、前記処理データに基づく前記入力信号の特性を示す特性図を表示部に表示させる制御部とを備えた表示制御装置であって、前記制御部は、複数種類の前記特性図を重ね合わせた状態で前記表示部に表示させる。
【０００７】
また、請求項２記載の表示制御装置は、請求項１記載の表示制御装置において、前記制御部は、前記入力信号データに基づく前記入力信号の信号波形図と前記各特性図とを重ね合わせた状態で表示させる。
【発明の効果】
【０００８】
請求項１記載の表示制御装置によれば、処理データに基づく複数種類の特性図を重ね合わせた状態で表示部に表示可能に構成したことにより、各特性図をユーザーに対して同時に視認させることができる。このため、ユーザーは、各特性図を比較しつつ入力信号の特性を多面的に解析することができる。また、表示切替操作を行うことなく各特性図を同時に視認させることができるため、解析作業の効率を十分に向上させることができる。
【０００９】
また、請求項２記載の表示制御装置によれば、制御部が入力信号の信号波形図と複数の特性図とを重ね合わせた状態で表示させることにより、信号波形図および各特性図をユーザーに対して同時に視認させることができる。このため、ユーザーは、信号波形図および各特性図を比較しつつ入力信号の特性をより一層多面的に解析することができると共に、このような使用形態においても解析作業の効率を十分に向上させることができる。
【発明を実施するための最良の形態】
【００１０】
以下、本発明に係る表示制御装置の最良の形態について、添付図面を参照して説明する。
【００１１】
最初に、波形表示装置１の構成について、図面を参照して説明する。
【００１２】
図１に示す波形表示装置１は、本発明に係る表示制御装置と本発明における表示部とを一体的に構成した表示装置の一例であって、入力信号Ｓｉ（一例として、電圧信号）の特性を示す特性図を表示可能に構成されている。具体的には、波形表示装置１は、入力信号処理部１１、ストレージメモリ１２、記憶部１３、演算部１４、表示部１５、操作部１６および制御部１７を備えて構成されている。
【００１３】
入力信号処理部１１は、Ａ／Ｄコンバータを備えて構成され、制御部１７の制御に従い、入力信号Ｓｉについてのパラメータ（例えば、電圧値）を所定の周期でサンプリングして本発明における入力信号データに相当するサンプリングデータＤｓを出力する。ストレージメモリ１２は、入力信号処理部１１から出力されて制御部１７によって転送されるサンプリングデータＤｓや、演算部１４から出力される処理データＤｐを記憶する。記憶部１３は、演算部１４によって実行される演算処理に用いられる演算用データＤｏや制御部１７の動作プログラム等を記憶する。演算部１４は、制御部１７の制御に従い、記憶部１３に記憶されている演算用データＤｏを用いて、ストレージメモリ１２に記憶されているサンプリングデータＤｓに対して（つまり入力信号Ｓｉに対して）、例えばＦＦＴ演算等の所定の演算処理を実行して、処理データＤｐを出力する。
【００１４】
表示部１５は、図２に示すように、波形表示装置１における本体部２の正面パネルに配置されたＬＣＤパネルを備えて構成され、制御部１７から出力される表示データＤｄに基づく各種の画像を表示する。操作部１６は、各種のスイッチやダイヤル等を備えて構成されて、本体部２の正面パネルに配置されている。また、操作部１６は、スイッチやダイヤルが操作されたときに操作信号Ｓｏを出力する。
【００１５】
制御部１７は、操作部１６から出力される操作信号Ｓｏに従って各種の処理を実行する。この場合、制御部１７は、入力信号処理部１１を制御してサンプリングデータＤｓを出力させると共に、そのサンプリングデータＤｓをストレージメモリ１２に記憶させる。また、制御部１７は、演算部１４を制御して、サンプリングデータＤｓに対する各種の演算処理を実行させると共に、演算処理によって演算部１４から出力される処理データＤｐをストレージメモリ１２に記憶させる。
【００１６】
さらに、制御部１７は、サンプリングデータＤｓや処理データＤｐに基づいて表示データＤｄを生成して表示部１５に出力することにより、入力信号Ｓｉの信号波形図Ｐｗ（図３参照）や、入力信号Ｓｉの特性を示す特性図Ｐｃ１〜Ｐｃ３（図４，５，８参照：以下、区別しないときには「特性図Ｐｃ」ともいう）を表示部１５に表示させる。この場合、制御部１７は、操作部１６におけるスイッチの操作に応じて、信号波形図Ｐｗおよび各特性図Ｐｃのうちのいずれか１つを表示部１５に表示させる単一表示を実行すると共に、複数の特性図Ｐｃを重ね合わせたり、１つまたは複数の特性図Ｐｃと信号波形図Ｐｗとを重ね合わせたりした状態で表示部１５に表示させる複数表示を実行する。
【００１７】
次に、入力信号Ｓｉの信号波形図Ｐｗや入力信号Ｓｉの特性図Ｐｃを表示させる際の波形表示装置１の全体的な動作について説明する。
【００１８】
まず、操作部１６のスイッチを操作して入力信号Ｓｉ（例えば、電圧信号）の記録を開始させる。この際に、制御部１７が操作部１６から出力される操作信号Ｓｏに従って入力信号処理部１１を制御することにより、入力信号ＳｉについてのサンプリングデータＤｓを出力させる。また、制御部１７は、入力信号処理部１１から出力されたサンプリングデータＤｓをストレージメモリ１２に記憶（記録）させる。
【００１９】
次に、横軸（Ｘ軸）を時間とし、縦軸（Ｙ軸）を振幅とする直交座標上に入力信号Ｓｉについてのパラメータ（例えば、入力信号Ｓｉの電圧値）をプロットした入力信号Ｓｉの信号波形図Ｐｗを単一表示させるときには、操作部１６のスイッチを操作して、信号波形図Ｐｗを単一表示させるための表示条件を設定する。この際に、制御部１７は、操作信号Ｓｏに従い、ストレージメモリ１２からサンプリングデータＤｓを読み出すと共に、サンプリングデータＤｓに基づいて信号波形図Ｐｗを表示させるための表示データＤｄを生成して表示部１５に出力する。これにより、図３に示すように、信号波形図Ｐｗが表示部１５に単一表示される。
【００２０】
次いで、横軸（Ｘ軸）を周波数とし、縦軸（Ｙ軸）を振幅とする直交座標上に入力信号Ｓｉについてのパラメータ（例えば、入力信号Ｓｉの各周波数における電圧値）をプロットした入力信号Ｓｉの特性図Ｐｃ（例えば、パワースペクトラムを示すスペクトラム図）を単一表示させるときには、操作部１６のスイッチを操作して、特性図Ｐｃを単一表示させるための表示条件を設定する。この際に、制御部１７は、操作信号Ｓｏに従って演算部１４を制御して、ストレージメモリ１２および記憶部１３からサンプリングデータＤｓおよび演算用データＤｏを読み出させると共に、演算用データＤｏを用いたサンプリングデータＤｓに対する演算処理を実行させる。この場合、演算部１４は、演算処理としてのＦＦＴ演算を実行して、処理データＤｐを出力する。続いて、制御部１７は、処理データＤｐに基づき、特性図Ｐｃとしてのパワースペクトラムを示すスペクトラム図を表示させるための表示データＤｄを生成して表示部１５に出力する。これにより、図４に示すように、特性図Ｐｃ１としてのパワースペクトラムを示すスペクトラム図が表示部１５に単一表示される。
【００２１】
次に、上記したパワースペクトラムとは演算方法の異なるリニアスペクトラムを示すスペクトラム図を特性図Ｐｃとして単一表示させるときには、操作部１６のスイッチを操作して表示条件を設定する。この際に、制御部１７は、操作信号Ｓｏに従い、上記の動作と同様にして、演算部１４に処理データＤｐを出力させる。次いで、制御部１７は、処理データＤｐに基づき、特性図Ｐｃとしてのリニアスペクトラムを示すスペクトラム図を表示させるための表示データＤｄを生成して表示部１５に出力する。これにより、図５に示すように、特性図Ｐｃ２としてのリニアスペクトラムを示すスペクトラム図が表示部１５に単一表示される。
【００２２】
続いて、上記した特性図Ｐｃ１と特性図Ｐｃ２とを重ね合わせた状態で表示部１５に表示（複数表示）させるときには、操作部１６におけるスイッチを操作して、両特性図Ｐｃ１，Ｐｃ２を複数表示させるための表示条件を設定する。この際に、制御部１７は、操作信号Ｓｏに従い、上記の動作と同様にして、両特性図Ｐｃ１，Ｐｃ２を表示させるための表示データＤｄを処理データＤｐに基づいて生成して、表示部１５に出力する。これにより、図６に示すように、両特性図Ｐｃ１，Ｐｃ２が表示部１５に複数表示される。この場合、この波形表示装置１では、種類の異なる複数（この例では、２つ）の特性図Ｐｃが重ね合わせた状態で表示部１５に表示されるため、例えば、両特性図Ｐｃを比較しつつ入力信号Ｓｉの特性を多面的に解析するような使用形態において、表示切替操作を行うことなく両特性図Ｐｃを同時に視認させることが可能な結果、作業効率の向上が可能となる。
【００２３】
一方、この波形表示装置１では、処理データＤｐに基づく複数の特性図Ｐｃ（例えば、上記した特性図Ｐｃ１としてのパワースペクトラムを示すスペクトラム図、および特性図Ｐｃ２としてのリニアスペクトラムを示すスペクトラム図）と信号波形図Ｐｗとを重ね合わせた状態で表示部１５に表示（複数表示）させることが可能となっており、このときには、操作部１６におけるスイッチを操作して、これらを複数表示させるための表示条件を設定する。この際に、制御部１７は、操作信号Ｓｏに従い、上記の動作と同様にして、両特性図Ｐｃ１，Ｐｃ２および信号波形図Ｐｗを表示させるための表示データＤｄを処理データＤｐおよびサンプリングデータＤｓに基づいて生成して、表示部１５に出力する。これにより、図７に示すように、両特性図Ｐｃ１，Ｐｃ２と信号波形図Ｐｗとが表示部１５に複数表示される。この場合、この波形表示装置１では、種類の異なる複数の特性図Ｐｃと信号波形図Ｐｗとが重ね合わせた状態で表示部１５に表示されるため、各特性図Ｐｃおよび信号波形図Ｐｗを比較することで、入力信号Ｓｉの特性をより一層多面的に解析することが可能となっている。
【００２４】
このように、この波形表示装置１によれば、処理データＤｐに基づく複数種類の特性図Ｐｃを重ね合わせた状態で表示部１５に表示可能に構成したことにより、各特性図Ｐｃをユーザーに対して同時に視認させることができる。このため、ユーザーは、各特性図Ｐｃを比較しつつ入力信号Ｓｉの特性を多面的に解析することができる。また、表示切替操作を行うことなく各特性図Ｐｃを同時に視認させることができるため、解析作業の効率を十分に向上させることができる。
【００２５】
また、この波形表示装置１によれば、制御部が入力信号Ｓｉの信号波形図Ｐｗと複数の特性図Ｐｃとを重ね合わせた状態で表示させることにより、各特性図Ｐｃおよび信号波形図Ｐｗをユーザーに対して同時に視認させることができる。このため、ユーザーは、各特性図Ｐｃおよび信号波形図Ｐｗを比較しつつ入力信号Ｓｉの特性をより一層多面的に解析することができると共に、このような使用形態においても解析作業の効率を十分に向上させることができる。
【００２６】
なお、本発明は、上記の構成に限定されない。例えば、特性図Ｐｃとしてのスペクトラム図を表示する例について上記したが、本発明における特性図には、ニコルス線図、ボード線図およびコクアド線図等の各種の特性図が含まれる。この場合、演算部１４が実行する所定の演算処理としては、ＦＦＴ演算に限定されず、上記の各種の特性図を表示するのに必要な処理データＤｐを出力するための各種の演算処理が含まれる。
【００２７】
また、２つの特性図Ｐｃを重ね合わせた状態で表示（複数表示）する例について上記したが、複数表示する特性図Ｐｃの数は、これに限定されない、例えば、図８に示すように、３つの特性図Ｐｃ１，Ｐｃ２，Ｐｃ３を複数表示することもできるし、４つ以上の任意の数の特性図Ｐｃを複数表示することもできる。また、３つ以上の特性図Ｐｃと信号波形図Ｐｗとを複数表示することもできる。加えて、本発明に係る表示制御装置と表示部とを一体的に構成した波形表示装置１について説明したが、外部装置としての表示装置（表示部）に上記の信号波形図Ｐｗや特性図Ｐｃ１，Ｐｃ２等を表示可能に構成された各種の表示制御装置に本発明を適用することができる。
【図面の簡単な説明】
【００２８】
【図１】波形表示装置１の構成を示すブロック図である。
【図２】波形表示装置１の正面図である。
【図３】信号波形図Ｐｗを単一表示している状態の表示画面図である。
【図４】特性図Ｐｃ１を単一表示している状態の表示画面図である。
【図５】特性図Ｐｃ２を単一表示している状態の表示画面図である。
【図６】特性図Ｐｃ１，Ｐｃ２を複数表示している状態の表示画面図である。
【図７】特性図Ｐｃ１，Ｐｃ２および信号波形図Ｐｗを複数表示している状態の表示画面図である。
【図８】特性図Ｐｃ１，Ｐｃ２，Ｐｃ３を複数表示している状態の表示画面図である。
【符号の説明】
【００２９】
１  波形表示装置
１４  演算部
１５  表示部
１７  制御部
Ｓｉ  入力信号
Ｄｐ  処理データ
Ｐｃ１，Ｐｃ２，Ｐｃ３  特性図
Ｐｗ  信号波形図
【図１】
2007199020.tif 000003
【図２】
2007199020.tif 000004
【図３】
2007199020.tif 000005
【図４】
2007199020.tif 000006
【図５】
2007199020.tif 000007
【図６】
2007199020.tif 000008
【図７】
2007199020.tif 000009
【図８】
2007199020.tif 000010